(57)【要約】【課題】  印判を加圧しすぎてもインキが吐出過多とならず、かつ、用紙を傷めない構成を有する手動捺印機を提案する。【解決手段】  操作レバーを操作して印判を降下させることにより捺印台に載置した用紙に捺印する手動捺印機であって、捺印台の上に立設したフレームの後端側に支軸を介在して回動可能かつ前後動可能に操作レバーを軸支し、前記操作レバーには押下部を設けてなり、前記フレームの内部には、浸透印と浸透印を保持する印判ホルダーによって構成される印判と、前記印判ホルダーの上端で連結する係合軸と、前記係合軸に設けた圧縮部と前記フレームに設けた弾性体受けの間に弾性体を配置してなる手動捺印機。【選択図】      図１
2008093829.tif 000002
【特許請求の範囲】
【請求項１】
操作レバーを操作して印判を降下させることにより捺印台に載置した用紙に捺印する手動捺印機であって、捺印台の上に立設したフレームの後端側に支軸を介在して回動可能かつ前後動可能に操作レバーを軸支し、前記操作レバーには押下部を設けてなり、前記フレームの内部には、浸透印と浸透印を保持する印判ホルダーによって構成される印判と、前記印判ホルダーの上端で連結する係合軸と、前記係合軸に設けた圧縮部と前記フレームに設けた弾性体受けの間に弾性体を配置してなり、前記操作レバーを降下させると前記押下部が前記係合軸と当接して前記印判が降下するように構成され、更に前記操作レバーを降下させると前記押下部が前記係合部から外れて前記弾性体の反発力により前記印判が用紙から離れるように構成されたことを特徴とする手動捺印機。
【発明の詳細な説明】
【技術分野】
【０００１】
本願発明は、操作レバーを操作して印判を降下させることにより捺印台に載置した用紙に捺印する手動捺印機に関する。
【背景技術】
【０００２】
従来、印判を捺印する場合は、捺印する用紙が複数枚あっても１枚ごと手で捺印していたため、非常に煩雑な手間と時間を要しており、また、印影に歪みが生じるといった問題があった。
そこで、既製の印判を用いて所定用紙に連続して機械的に捺印できるようにした捺印機が、実開昭４７−０２３００６号公報に記載の考案や特開平０２−１２５７８４号公報に記載の発明として提案されており、精度良く効率的に捺印することできる捺印機として開示されている。
しかし、これら従来の捺印機は十分なストッパー機構がないため、印判を加圧しすぎて用紙を傷めてしまう欠点があった。また、これら従来の捺印機の印判を、朱肉やスタンプ台が必要のない連続気泡を有する多孔質印字体を用いた所謂浸透印で置換した捺印機は、印判を加圧しすぎてインキが吐出過多となり、印影が滲むという欠点があった。
【０００３】
【特許文献１】実開昭４７−０２３００６号公報
【特許文献２】特開平０２−１２５７８４号公報
【発明の開示】
【発明が解決しようとする課題】
【０００４】
そこで、本出願人は、連続気泡を有する多孔質印字体からなる浸透印を用いた手動捺印機であって、印判を加圧しすぎてもインキが吐出過多とならず、かつ、用紙を傷めない構成を有する捺印機を提案するものである。
【課題を解決するための手段】
【０００５】
操作レバーを操作して印判を降下させることにより捺印台に載置した用紙に捺印する手動捺印機であって、捺印台の上に立設したフレームの後端側に支軸を介在して回動可能かつ前後動可能に操作レバーを軸支し、前記操作レバーには押下部を設けてなり、前記フレームの内部には、浸透印と浸透印を保持する印判ホルダーによって構成される印判と、前記印判ホルダーの上端で連結する係合軸と、前記係合軸に設けた圧縮部と前記フレームに設けた弾性体受けの間に弾性体を配置してなり、前記操作レバーを降下させると前記押下部が前記係合軸と当接して前記印判が降下するように構成され、更に前記操作レバーを降下させると前記押下部が前記係合部から外れて前記弾性体の反発力により前記印判が用紙から離れるように構成されたことを特徴とする手動捺印機である。
【発明の効果】
【０００６】
本発明は、操作レバーを降下させると、操作レバーに設けた押下部が浸透印に連設した係合部と当接し、印判ホルダーを降下させると同時に印判ホルダーと連設している浸透印を降下させて（この時、印判ホルダーに一端を固定した弾性体は、圧縮又は伸張する。）、捺印台に載置した用紙に捺印し、更に操作レバーを降下させると、押下部が印判ホルダーから外れて弾性体の復元力により浸透印が初期位置に戻り、捺印台に載置した用紙から浸透印が離剥するよう構成されている。
よって、本発明の捺印機は、連続気泡を有する多孔質印字体からなる浸透印を加圧しすぎても、用紙から浸透印が離剥するため、インキが吐出過多とならず、かつ、用紙を傷めることがない。
【発明を実施するための最良の形態】
【０００７】
本発明を実施するための最良の形態を図１、図２、図３、図４より詳細に説明する。
１０は捺印台であって、捺印領域には用紙が載せ易くかつ固定できるように軟質素材からなる載置台１１と用紙枠１２と紙押え１３が設けてある。さらに、載置台１１は印判の圧力を吸収するためにコイルバネ等のクッション材（図示せず）の上に設置されている。
２０は捺印台の上に立設したフレームであって、外界から容易に触れることができないように印判をカバーするとともに、操作レバーを可動保持するものである。フレーム２０の中心部には後述する係合軸を上下動可能に保持するための長孔２１が設けてあり、後端側には後述する操作レバーを回動可能かつ前後動可能に保持するためのスライド孔２２が設けてある。また、長孔２１とスライド孔２２の間には、後述する復元スプリングの一端を係止するための引掛部２３と後述する誘導部を誘導するための突起２４が設けてある。また、フレーム２０内には後述する弾性体を固定保持するための弾性体受け２５がフレーム２０を内側に折り曲げることによって設けてある。
３０は操作レバーであって、前記フレーム２０の後端側に支軸３１を介在して回動可能かつ前後動可能に軸支されている。操作レバー３０の中心部であって前記長孔２１と同位置には、略くの字状に湾曲した屈曲孔３２が設けてあり、屈曲孔３２によって形成される突出した部分として押下部３３が設けられる。押下部３３は後述する係合軸から容易に外れるように曲面状に形成することが好ましい。３４は把握部であって、把握部３４を握って下降させると印判が下降する。３５は復元スプリングであって、操作レバー３０が初期位置に戻ることを補助するためのものであり、一端を操作レバーに設けた孔を介してフレーム２０の引掛部２３に固定し、他端を操作レバーに固定してある。３６は誘導部であって、操作レバー３０が前方に移動することを補助するためのものであり、傾斜を有している。
４０は浸透印４１と浸透印４１を保持する印判ホルダー４２によって構成される印判である。印判４０の上方には印判ホルダー４２の上端で連結し水平に伸びる係合軸４３と、係合軸４３の両端部に配置した弾性体４４が配置されている。以下詳述すると、本形態における印判４０は、印字体として浸透印４１を用い、浸透印４１を保持する部材として印判ホルダー４２を用い、当該浸透印４１と当該印判ホルダー４２によって構成されている。ここで、浸透印とは、連続気泡を有するゴム製又はプラスチック製多孔質体にインキを内在含有させた多孔質印字体をいう。また、印判ホルダー４２は浸透印４１を保持するだけでなく、各部材と連結連動させるための部材でもあり、浸透印４１上部に立張している。次に、係合軸４３は、水平に伸びるピン状の軸であって、その中央部において印判ホルダー４２の上端で連結しており、その両端は長孔２１と屈曲孔３２から外部にのぞむように設置されている。係合軸４３は前記押下部３３から容易に外れるように円柱状の軸であることが好ましいが、必ずしも限定されない。また、係合軸４３の両端近傍には弾性体４４を圧縮するための圧縮部４５が設置される。次に、弾性体４４は、金属製や樹脂製のバネなど伸縮性のある部材であって、係合軸４３に設けた圧縮部４５とフレーム２０に設けた弾性体受け２５の間に配置したものである。
【０００８】
次に、本形態の捺印方法について説明する。
（１）捺印台１０に設けた載置台１１の上に用紙を置く。用紙は用紙枠１２と紙押え１３によって固定される。特に、複数の本願捺印機を使用して多色刷りをする場合は、用紙枠１２と紙押え１３によって、高精度の用紙位置が決定できる。また、浸透印に前後左右に移動可能な調節機能（図示せず）を付加しておくことで、捺印位置の微調整が可能である。
（２）把握部３４を握って操作レバー３０を下降させると、把握部３４が力点として働き、支軸３１が支点として働き、押下部３３が作用点として働いて、押下部３３が係合軸４３を押し下げ、連結している印判ホルダー４２及び浸透印４１を下降させる。この際、係合軸４３に設けた圧縮部４５とフレーム２０に設けた弾性体受け２５の間に配置した弾性体４４が圧縮される。また、誘導部３６の傾斜が突起２４に誘導されていくので、操作レバー３０全体が少しずつ後方へ移動していく。
（３）継続して操作レバー３０を下降させていくと、浸透印４１の印面が用紙に当接し、用紙に印影が捺印される。この際、浸透印４１の微妙な傾きなどは、載置台１１の下に設置したクッション材によって吸収され、鮮明な印影を得ることができる。
（４）更に、把握部３４を加圧し操作レバー３０を降下させると、誘導部３６と突起２４の誘導にも助長され、押下部３３が係合軸４３から滑って外れ、操作レバー３０全体が後方に移動する。この時、復元スプリング３５は圧縮される。そして、押下部３３が係合軸４３から外れることにより、弾性体４４の反発力によって係合軸４３が長孔２１及び屈曲孔３２を上昇し、それと同時に連結している印判ホルダー４２及び浸透印４１が上昇する。それによって、浸透印４１が用紙から完全に離れるので、把握部３４を無理やり加圧して操作レバー３０を降下させようとしても、それ以上浸透印４１が用紙を強圧することはない。
（５）次に、把握部３４の加圧を解除すると、弾性体４４の反発力によって操作レバー３０が上昇すると同時に、復元スプリング３５の復元力によって操作レバー３０全体が前方に移動するので、操作レバー３０が初期位置に戻る。また、弾性体４４の反発力によって、係合軸４３及び印判ホルダー４２及び浸透印４１も上昇して初期位置に戻る。
【０００９】
上記形態では浸透印を用いているが、これを非多孔体の印鑑とし、捺印台にスタンプ台を設置しても本願発明の作用効果が得られる。
【図面の簡単な説明】
【００１０】
【図１】本発明の一形態の斜視図
【図２】本発明の一形態の側面図
【図３】本発明の一形態の一部断面図
【図４】本発明の一形態の平面図
【符号の説明】
【００１１】
１０  捺印台
１１  載置台
１２  用紙枠
１３  紙押え
２０  フレーム
２１  長孔
２２  スライド孔
２３  引掛部
２４  突起
２５  弾性体受け
３０  操作レバー
３１  支軸
３２  屈曲孔
３３  押下部
３４  把握部
３５  復元スプリング
３６  誘導部
４０  印判
４１  浸透印
４２  印判ホルダー
４３  係合軸
４４  弾性体
４５  圧縮部
【図１】
2008093829.tif 000003
【図２】
2008093829.tif 000004
【図３】
2008093829.tif 000005
【図４】
2008093829.tif 000006